(57)【要約】      （修正有）【課題】ミサイル発射が可能な小銃に係り、さらに詳しくは、銃弾を発射できる小銃に、切り換えスイッチの操作により小型のミサイルを発射できるようにしたミサイル発射が可能な小銃を提供する。【解決手段】銃床２に連接された銃弾発射用の銃弾発射筒３の上段側に、ミサイル発射用のミサイル発射管６を平行状に縦設させ、銃弾発射筒の後端部近傍に、銃弾発射とミサイル発射の切り替えスイッチ８を取り付けたことを特徴とする。【選択図】図１
0003191412.tif 000002
【実用新案登録請求の範囲】
【請求項１】
銃床に連接された銃弾発射用の銃弾発射筒の上段側に、ミサイル発射用のミサイル発射管を平行状に縦設させ、銃弾発射筒の後端部近傍に、銃弾発射とミサイル発射の切り替えスイッチを取り付けたことを特徴とするミサイル発射が可能な小銃。
【請求項２】
ミサイル発射管の上部に照準スコープを取り付けたことを特徴とする請求項１記載のミサイル発射が可能な小銃。
【請求項３】
銃弾発射筒の後端部近傍に、弾倉を取り付けたことを特徴とする請求項１又は２に記載のミサイル発射が可能な小銃。
【考案の詳細な説明】
【技術分野】
【０００１】
本考案はミサイル発射が可能な小銃に係り、さらに詳しくは、銃弾を発射できる小銃に、切り換えスイッチの操作により小型のミサイルを発射できるようにしたミサイル発射が可能な小銃に関する。
【背景技術】
【０００２】
従来から、銃弾を発射するための小銃は広く知られている。この小銃とは、兵士が個人使用するための軍用銃であり、兵士個人が携行する肩撃ち銃を意味し、そこには当然のことながら歩兵銃やライフル銃などを含む概念のものである。
【０００３】
この小銃は兵士一人で持ち運ぶことができ、射撃の自由度が高く、一般的には銃弾を発射するための発射部と銃身を備えただけの構造であり、重量や発射時の反動が立射に耐えうる程度のものであるが、射撃時や照準時の小銃又は銃身の安定性を補助する支え棒（一脚〜三脚程度）を使用するものも知られている。
この小銃には、従来より先端に銃剣が備えられ、白兵戦の際には近接戦闘の武器として有効に使える構造のものが一般的である。
【先行技術文献】
【特許文献】
【０００４】
【特許文献１】特開２００１−３３１９５号公報
【特許文献２】特開２０１２−１７９６９号公報
【考案の概要】
【考案が解決しようとする課題】
【０００５】
ところで小銃は、銃弾を一発づつ発射する構造（連射することも可能）であるため、標的に与える破壊力はおのずと制限があり、標的が軍用車、戦車であったり、堅固な建物などである場合には、それへの対処が不十分になるという問題があった。
このような問題に対し、小型のミサイルを上記の標的に当てることができれば、小銃を携行する兵士の攻撃力は格段に向上することとなる。
【０００６】
本考案は、小銃の銃弾発射筒（銃身）のほかに、ミサイル発射用の発射管を備える小銃を提案することで、上記の問題を解決しようとするものである。
【課題を解決するための手段】
【０００７】
前記課題を解決するために、請求項１に記載の考案は、銃床に連接された銃弾発射用の銃弾発射筒の上段側に、ミサイル発射用のミサイル発射管を平行状に縦設させ、銃弾発射筒の後端部近傍に、銃弾発射とミサイル発射の切り替えスイッチを取り付けたことを特徴とするミサイル発射が可能な小銃である。
【０００８】
請求項２に記載の考案は、ミサイル発射管の上部に照準スコープを取り付けたことを特徴とする請求項１記載のミサイル発射が可能な小銃である。
【０００９】
請求項３に記載の考案は、銃弾発射筒の後端部近傍に、弾倉を取り付けたことを特徴とする請求項１又は２に記載のミサイル発射が可能な小銃である。
【考案の効果】
【００１０】
上記した請求項１に係るミサイル発射が可能な小銃は、通常は小銃として使用することができ、特に強い破壊力が求められる事態が発生した場合には、ミサイル発射管より小型のミサイルを発射することで対応ができるという効果を達成できる。
【００１１】
また請求項２は、ミサイル発射管の上部に照準スコープを取り付けたため、目標物の視認を確実に行うことができ、目標物に銃弾を命中させる確率が向上するという効果を達成できる。
【００１２】
さらに請求項３は、銃弾発射筒の後端部近傍に、弾倉を取り付けたため、小銃の銃弾発射筒から発射する銃弾の補充を確実に行え、銃弾発射が効率的に行えるという効果を発揮する。
【図面の簡単な説明】
【００１３】
【図１】本考案に係るミサイル発射が可能な小銃の正面図である。
【図２】本考案に係るミサイル発射が可能な小銃で、ミサイルを発射させた状態を示す正面図である。
【図３】本考案に係るミサイル発射が可能な小銃で、銃弾を発射させた状態を示す正面図である。
【考案を実施するための形態】
【００１４】
以下添付図面に基づいて、本考案に係るミサイル発射が可能な小銃の一実施の形態を詳説するが、本考案はこれらの実施の形態に制限されるものではない。
【００１５】
図１に示すミサイル発射が可能な小銃１には銃床２が備えられ、その銃床２に銃弾発射用の銃弾発射筒３が連接されている。
この銃弾発射筒３からは、トリガー４を操作することで、銃弾５が発射される（図３参照）。
【００１６】
さらに小銃１の銃弾発射筒３の上段側には、ミサイル発射用のミサイル発射管６が平行状に縦設されている。
このミサイル発射管６からは、トリガー４を操作することで、小型のミサイル７が発射される（図２参照）。
【００１７】
この小型のミサイル７には、図示はしないが追尾装置や誘導装置が備えられているため、発射された小型のミサイルは、正確に目標物に命中する。
【００１８】
上記した銃弾５と小型のミサイル７の発射の切り換えは、銃弾発射筒３の後端部近傍に取り付けた切り替えスイッチ８の切り換え操作によって行われる。
【００１９】
ついで本考案の小銃１では、ミサイル発射管６の上部に照準スコープ９を取り付けているので、この照準スコープ９のレチクルに目標物を合わせることで、目標物の視認を確実に行うことができ、目標物に銃弾５を命中させる確率が向上する。
【００２０】
さらに本考案の小銃１では、銃弾発射筒３の後端部近傍に、弾倉１０を取り付けているので、この弾倉１０内に多数の銃弾５をストックしておき、銃弾発射筒３から銃弾５が発射された際には、図示しない自動送り機構により、次の銃弾５が銃弾発射筒３の所定位置に次の射撃に備えて自動的に待機できる構造となっている。このため、大変使い易い小銃１となる。
【００２１】
本考案の小銃１は、銃床２を兵士の肩部にあてがって射撃体勢の安定化を図り、銃弾５や小型のミサイル７の発射は、トリガー４の操作で行い、切り替えスイッチ８の操作で銃弾５と小型のミサイル７との切り替えを行うこととなる。
【産業上の利用可能性】
【００２２】
本考案のミサイル発射が可能な小銃は、近時の武力行使を行う国際緊張下において、我が国、我が国民、我が国民の財産を安全に保護するという国益に寄与するものであり、簡単な構成の小銃で対処することができ、その利用範囲は大変広いものとなる。
【符号の説明】
【００２３】
１ …小銃
２ …銃床
３ …銃弾発射筒
４ …トリガー
５ …銃弾
６ …ミサイル発射管
７ …小型のミサイル
８ …切り替えスイッチ
９ …照準スコープ
１０ …弾倉
【図１】
0003191412.tif 000003
【図２】
0003191412.tif 000004
【図３】
0003191412.tif 000005